(57)【特許請求の範囲】
【請求項１】
遊技領域に設けられた始動入賞口に遊技球が入賞したことを検出する始動検出手段と、該始動検出手段の球検出に基づいて球受入口を開放させて遊技球の受け入れを可能にする入賞装置と、を備えた遊技機であって、
前記入賞装置は、
取付基板と、
該取付基板の前面に開口が形成されると共に当該開口の側端一部が前記球受入口として形成される入賞空間と、
該入賞空間を上下に区画する転動板と、
前記開口の側端において前記球受入口以外の部分を前記遊技領域と前記入賞空間とが連通しないように仕切る仕切壁と、
前記球受入口を開閉する開閉部材と、
該開閉部材を開閉動作させる電気的駆動源と、を備え、
前記開閉部材は、
前記球入口に対応する前記開口の下端部であって前記仕切壁の端部の上方に配置されると共に前記電気的駆動源の駆動に基づいて回転可能に設けられる回転軸部と、
該回転軸部の両側方向に一直線に延びる開閉片部と、を備え、
前記開閉片部の裏面又は前面のいずれか一方の面側には、当該開閉片部の延設方向に沿って凸部が遊技球の直径寸法よりも小さい所定間隔を置いて連続的に形成され、
前記仕切壁には、前記開閉部材の開閉動作において前記凸部との干渉を避ける凹部が形成され、
前記開閉片部が前記回転軸部を中心に回動して前記球受入口が開放状態にあるとき、前記球入口から前記転動板によって区画された上部の入賞空間に遊技球を受け入れる一方、前記仕切壁によって前記球受入口以外の前記開口の側端から前記転動板によって区画された下部の入賞空間内に遊技球が侵入するのを阻止することを特徴とする遊技機。
【発明の詳細な説明】
【技術分野】
【０００１】
本発明は、遊技領域に設けられた始動入賞口に遊技球が入賞したことを検出する始動検出手段と、該始動検出手段の球検出に基づいて球受入口を開放させて遊技球の受け入れを可能にする入賞装置と、を備えた遊技機に関するものである。
【背景技術】
【０００２】
従来、一般に、遊技機の一例としてのパチンコ機には、始動入賞口への入賞に基づいて入賞装置の球受入口を開放し、入賞装置内に入った遊技球が特定入賞領域に入賞することで特定遊技状態を発生して入賞装置を特別態様で開放するもの（例えば、特許文献１参照）が提案されている。
【特許文献１】特開平５−２２０２５７号公報（図２）
【発明の開示】
【発明が解決しようとする課題】
【０００３】
ところで、上記特許文献１の構成では、球受入口を開閉する開閉部材が回転軸部を中心として時計方向及び反時計方向に交互に回転することで、球受入口を開閉する構成となっていた。即ち、時計方向又は反時計方向となる一方向に開閉部材を回転させて球受入口を開放した後、開閉部材を他方向に回転させて球受入口を閉鎖するようになっていた。しかしながら、このような構成では、開閉動作に伴う開閉部材の動きは、回転軸部を中心として４５度程度の回動範囲となる動きに制限されてしまい、球受入口が開放された状態においても、入賞装置内に遊技球が入賞し難い印象を遊技者に与えていた。本発明は、上記した事情に鑑みなされたもので、その目的とするところは、開閉部材の開閉動作によって入賞装置を開放する構成において、開閉部材の動作範囲を広げることで入賞装置内に遊技球が入賞し易い印象を遊技者に与えることができる遊技機を提供することにある。
【課題を解決するための手段】
【０００４】
（解決手段１）
上記目的を達成するために、請求項１に係る本発明の遊技機は、遊技領域に設けられた始動入賞口に遊技球が入賞したことを検出する始動検出手段と、該始動検出手段の球検出に基づいて球受入口を開放させて遊技球の受け入れを可能にする入賞装置と、を備えた遊技機であって、前記入賞装置は、取付基板と、該取付基板の前面に開口が形成されると共に当該開口の側端一部が前記球受入口として形成される入賞空間と、該入賞空間を上下に区画する転動板と、前記開口の側端において前記球受入口以外の部分を前記遊技領域と前記入賞空間とが連通しないように仕切る仕切壁と、前記球受入口を開閉する開閉部材と、該開閉部材を開閉動作させる電気的駆動源と、を備え、前記開閉部材は、前記球入口に対応する前記開口の下端部であって前記仕切壁の端部の上方に配置されると共に前記電気的駆動源の駆動に基づいて回転可能に設けられる回転軸部と、該回転軸部の両側方向に一直線に延びる開閉片部と、を備え、前記開閉片部の裏面又は前面のいずれか一方の面側には、当該開閉片部の延設方向に沿って凸部が遊技球の直径寸法よりも小さい所定間隔を置いて連続的に形成され、前記仕切壁には、前記開閉部材の開閉動作において前記凸部との干渉を避ける凹部が形成され、前記開閉片部が前記回転軸部を中心に回動して前記球受入口が開放状態にあるとき、前記球入口から前記転動板によって区画された上部の入賞空間に遊技球を受け入れる一方、前記仕切壁によって前記球受入口以外の前記開口の側端から前記転動板によって区画された下部の入賞空間内に遊技球が侵入するのを阻止することを特徴とする。
この場合、回転軸部を中心として開閉部材を一方向に回転させることで、開閉部材によって球受入口を開閉することができる。このため、開閉部材の動作範囲を広げることができ、ひいては入賞装置内に遊技球が入賞し易い印象を遊技者に与えることができる。なお、開閉部材の開閉動作において、開閉部材（開閉片部）と仕切壁との干渉を避けるための構成部として、開閉片部に凸部を設け、仕切壁に凸部と対応する凹部を設ける構成としているが、これは便宜的な表現であり、開閉片部に複数の凸部を設けた場合、各凸部間は、必然的に凹部となり、仕切壁の各凹部間は、必然的に凸部となる。このため、開閉部材（開閉片部）と仕切壁との干渉を避けるための構成部は、開閉片部における各凸部間の凹部と、仕切壁における各凹部間の凸部であるともいえる。
【０００５】
（解決手段２）
解決手段１において、前記開閉部材は、前記回転軸部を中心とした一方向への回転動作によって前記球受入口の開閉を行う。
この場合、入賞装置（球受入口）の開閉動作において、開閉部材を一方向へのみ回転させて他方向に回転させることがないので、あたかも開閉部材の戻りの動作がないように印象付けることができ、入賞装置内に遊技球が入賞し易い印象を遊技者に与えることができる。
【０００６】
（解決手段３）
解決手段２において、前記開閉部材は、前記開閉片部が前記球受入口内に入り込む方向を前記一方向として回転する。
この場合、開閉部材が回転動作を行っている時点で、遊技領域を流下する遊技球を球受入口に取り込み易くでき、入賞装置内に遊技球を入賞させ易い構成にできる。
【０００７】
（解決手段４）
解決手段１乃至解決手段３において、前記開閉部材は、前記入賞装置の左右両側部分に個々に配置されて左右一対に構成される。
この場合、入賞装置（球受入口）の開放状態において、入賞装置の左右側方における遊技領域を流下する遊技球を入賞装置に受け入れ得る構成にできるため、入賞装置に入賞する遊技球の球流れパターンを増やすことができ、より一層、入賞装置内に遊技球が入賞し易い印象を遊技者に与えることができる。
【０００８】
（解決手段５）
解決手段１乃至解決手段４において、前記始動検出手段の球検出に基づいて図柄の変動表示を行って所定期間経過後に表示結果を停止表示する図柄表示手段を備え、前記入賞装置は、前記図柄表示手段により特定の表示結果が停止表示されたときに、前記球受入口を開放させて遊技球の受け入れを可能にする。
この場合、図柄表示手段の表示結果によって入賞装置が開放するか否かが決定するので、図柄表示手段による図柄の変動表示に対する興趣を高めることができ、遊技性を高めることができる。
【０００９】
（解決手段６）
解決手段１乃至解決手段５において、前記入賞装置内の特定入賞領域に遊技球が入賞したことを検出する特定検出手段と、該特定検出手段の球検出に基づいて前記開閉部材による前記球受入口の開放動作を継続して実行させる開放継続制御手段と、を備える。
この場合、入賞装置内の特定入賞領域に遊技球が入賞するか否かによって入賞装置内に遊技球を入賞させる機会が継続するか否かが決定するので、入賞装置内での球流れに対する興趣を高めることができる。
【００１０】
（解決手段７）
解決手段６において、前記入賞装置内の前記特定入賞領域以外となる普通入賞領域に遊技球が入賞したことを検出する普通検出手段と、少なくとも前記特定検出手段及び前記普通検出手段による遊技球の検出に応じて賞球を払い出す球払出手段と、を備える。
この場合、入賞装置に遊技球が入賞したときには、遊技特典として遊技者に賞球を払い出す構成にできる。
【００１１】
（解決手段８）
解決手段１乃至解決手段７において、前記電気的駆動源は、駆動軸が前記回転軸部と一体的に取り付けられたモータから構成される。
この場合、モータの駆動軸の回転を直接的に開閉部材の回転動作として伝達することができるので、開閉部材の動作効率を高めることができる。
【発明の効果】
【００１２】
本発明の構成によれば、回転軸部を中心として開閉部材を一方向に回転させることで、開閉部材によって球受入口を開閉することができる。言い換えれば、回転軸部を中心とした所定の回動範囲となる動きに開閉部材の開閉動作が制限されない。このため、開閉部材の動作範囲を広げることができ、ひいては入賞装置内に遊技球が入賞し易い印象を遊技者に与えることができる。
【発明を実施するための最良の形態】
【００１３】
以下、図面を参照して本発明の好適な実施形態について説明する。先ず、図１及び図２を参照して実施形態に係るパチンコ機の全体構成について説明する。図１は、パチンコ機を示す正面図である。図２は、本体枠及び前面枠を開放した状態のパチンコ機を示す斜視図である。
【００１４】
図１及び図２に示すように、パチンコ機１は、外枠２、本体枠３、遊技盤４、前面枠５等を備えて構成されている。外枠２は、上下左右の枠材によって縦長四角形の枠状に形成され、外枠２の前側下部には、本体枠３の下面を受ける下受板６を有している。外枠２の前面一側には、ヒンジ機構７によって本体枠３が前方に開閉可能に装着されている。また、本体枠３は、前枠体８、遊技盤装着枠９、及び機構装着枠１０を合成樹脂材によって一体成形することで構成されている。本体枠３の前側に形成された前枠体８は、外枠２前側の下受板６を除く外郭形状に対応する大きさの矩形枠状に形成されている。
【００１５】
前枠体８の後部に一体的に形成された遊技盤装着枠９には、遊技盤４が前方から着脱交換可能に装着されるようになっている。遊技盤４の盤面（前面）には、外レールと内レールとを備えた案内レール１１が設けられ、該案内レール１１の内側には、遊技領域１２が区画形成されている。遊技盤装着枠９よりも下方に位置する前枠体８の前側下部の一側寄りには、スピーカ装着板１３を介して低音用スピーカ１４が装着されている。また、前枠体８前面の下部領域内の上側部分には、遊技盤４の発射通路に向けて遊技球を導く発射レール１５が傾斜状に装着されている。一方、前枠体８前面の下部領域内の下側部分には、下前面部材１６が装着されている。下前面部材１６前面のほぼ中央には、下皿１７が設けられ、片側寄りには操作ハンドル１８が設けられている。
【００１６】
本体枠３（前枠体８）のヒンジ機構７が設けられる側とは反対側となる開放側の後面には、外枠２に対して本体枠３を施錠する機能と、本体枠３に対して前面枠５を施錠する機能とを兼ね備えた施錠装置１９が装着されている。施錠装置１９は、外枠２に設けられた閉止具２０に係脱可能に係合して本体枠３を閉鎖状態に施錠する上下複数の本体枠施錠フック２１と、前面枠５の開放側の後面に設けられた閉止具２２に係脱可能に係合して前面枠５を閉鎖状態に施錠する上下複数の扉施錠フック２３とを備えている。そして、シリンダー錠２４の鍵穴に鍵が挿入されて一方向に回動操作されることで、本体枠施錠フック２１と外枠２の閉止具２０との係合が解除されて本体枠３が解錠され、これとは逆方向に鍵が回動操作されることで、扉施錠フック２３と前面枠５の閉止具２２との係合が解除されて前面枠５が解錠されるようになっている。なお、シリンダー錠２４の前端部は、パチンコ機１の前方から鍵を挿入して解錠操作が行えるように、前枠体８及び下前面部材１６を貫通して下前面部材１６の前面に露出して配置されている。
【００１７】
本体枠３前面の一側には、ヒンジ機構２５によって前面枠５が前方に開閉可能に装着されている。前面枠５は、扉本体フレーム２６、サイド装飾装置２７、上皿２８、音響電飾装置２９を備えて構成されている。扉本体フレーム２６は、プレス加工された金属製フレーム部材によって構成され、前枠体８の上端から下前面部材１６の上縁に亘る部分を覆う大きさに形成されている。扉本体フレーム２６のほぼ中央には、遊技盤４の遊技領域１２を前方から透視可能なほぼ円形状の開口窓３０が形成されている。また、扉本体フレーム２６の後側には、開口窓３０よりも大きい矩形枠状をなす窓枠３１が設けられ、該窓枠３１には、透明板３２が装着されている。
【００１８】
扉本体フレーム２６の前側には、開口窓３０の周囲において、左右両側部にサイド装飾装置２７が、下部に上皿２８が、上部に音響電飾装置２９が装着されている。サイド装飾装置２７は、ランプ基板が内部に配置され且つ合成樹脂材によって形成されたサイド装飾体３３を主体として構成されている。サイド装飾体３３には、横方向に長いスリット状の開口孔が上下方向に複数配列されており、該開口孔には、ランプ基板に配置された光源に対応するレンズ３４が組み込まれている。音響電飾装置２９は、透明カバー体３５、スピーカ３６、スピーカカバー３７、及びリフレクタ体（図示しない）等を備え、これらの構成部材が相互に組み付けられてユニット化されている。
【００１９】
次に、遊技盤４に区画形成された遊技領域１２内に設けられる各種構成部材について図３を参照して説明する。図３は、遊技盤を示す正面図である。
【００２０】
遊技領域１２のほぼ中央には、本実施形態の要部をなす中央入賞装置４０（入賞装置）が配設されている。中央入賞装置４０の下方には、それぞれ始動センサ４１ａ，４２ａ，４３ａ（図４参照：始動検出手段）を内蔵した左・中・右の始動入賞口４１，４２，４３が配置されている。始動入賞口４１，４２，４３に打球が入賞すると、これを始動センサ４１ａ，４２ａ，４３ａが検出することで、中央入賞装置４０を所定期間開放するようになっている。遊技領域１２の最下部には、遊技領域１２を流下していずれの入賞口や入賞装置にも入賞しなかった遊技球が取り込まれるアウト口４４が設けられている。また、遊技領域１２には、上記した構成以外にも、遊技領域１２を流下する遊技球の障害となる障害釘４５や風車４６、一般入賞センサ４７ａ（図４参照）を内臓した一般入賞口４７、サイドランプ４８ａ（図４参照）を内蔵したサイドランプ飾り４８、等が設けられている。
【００２１】
中央入賞装置４０は、当該中央入賞装置４０を遊技盤４の表面（遊技領域１２）に取り付けるための取付基板４９を有し、該取付基板４９には、上部入賞空間５０と下部入賞空間５１が形成されている。上部入賞空間５０には、左右一対の開閉部材５２が回転可能に設けられている。開閉部材５２は、それぞれモータ５３（図４参照：電気的駆動源）が連結され、該モータ５３の駆動に基づいて上部入賞空間５０の球受入口５０ａを開閉するようになっている。開閉部材５２の開閉動作については後で詳述する。上部入賞空間５０内には、当該上部入賞空間５０に入賞した遊技球を検出するカウントセンサ５４（図４参照）と、入賞球を後方に向かって転動させる上部転動板５５と、が設けられている。なお、カウントセンサ５４で検出された入賞球は、上部転動板５５を流下した後に球通路５６を通って下部入賞空間５１に送り込まれるようになっている。また、上部入賞空間５０の上方となる中央入賞装置４０の上側部分には、図柄表示器５７（図柄表示手段）が配置されている。図柄表示器５７は、７セグメントＬＥＤから構成され、７セグメントの点灯／消灯によって「７」等の図柄を表示するようになっている。
【００２２】
一方、下部入賞空間５１には、前方に向って下り傾斜した下部転動板５８と、球通路５６を流下した遊技球を下部転動板５８に送り込むための球排出口５９と、が設けられている。下部転動板５８の前端部分には、モータ６０（図４参照）の駆動に伴って常時一定速度で左右方向に移動する特定受入口６１（特定入賞領域）が設けられている。特定受入口６１の内部には、当該特定受入口６１に入った遊技球を検出するＶ入賞センサ６２（図４参照：特定検出手段）が設けられている。また、下部転動板５８の前端下方には、特定受入口６１に入らなかった遊技球を検出する普通入賞センサ６３（図４参照：普通検出手段）が設けられている。なお、特定受入口６１に入った遊技球は、Ｖ入賞センサ６２によって検出され、当該検出に基づいて球受入口５０ａを開放制御する継続権が成立する（開放継続制御手段）。一方、特定受入口６１に入らなかった遊技球は、普通入賞センサ６３によって検出され、普通の入賞球として処理される。また、各入賞センサ４１ａ，４２ａ，４３ａ，４７ａ，６２，６３による遊技球の検出に基づいて、払出装置１０３（図４参照：球払出手段）から所定数の賞球が払い出される。
【００２３】
ここで、遊技盤４に設けられる各種の入賞装置等によって実現される遊技について説明すると、パチンコ機１の裏面側に設けられる発射装置（図示しない）によって打ち出されて発射レール１５及び案内レール１１を通って遊技領域１２に放出された遊技球は、遊技領域１２を障害釘等に衝突しながらアウト口４４に向かって流下する。遊技領域１２を流下する遊技球が始動入賞口４１，４２，４３に入賞して始動センサ４１ａ，４２ａ，４３ａによって検出されると、図柄表示器５７が図柄変動を開始する。そして、図柄の停止によって導出される表示結果が所定の当り態様（例えば、「７」の図柄）となると、中央入賞装置４０の開閉部材５２が所定期間（例えば、０．９秒）開放され、中央入賞装置４０に遊技球が入賞し得るようになっている。そして、中央入賞装置４０に遊技球が入賞して、その入賞球が中央入賞装置４０内のＶ入賞センサ６２によって検出されると、中央入賞装置４０を開放制御する継続権が成立して、再度、中央入賞装置４０の開閉部材５２が所定期間（例えば、０．９秒）開放される。但し、このような中央入賞装置４０を開放制御する継続権は、所定制限回数（例えば、１８回）までに制限されている。
【００２４】
次に、パチンコ機１の裏面側に設けられるメイン制御基板１０１及びサブ制御基板１１１について図４を参照して説明する。図４は、メイン制御基板１０１及びサブ制御基板１１１を示すブロック図である。
【００２５】
図４に示すように、メイン制御基板１０１は、中央演算装置としてのＣＰＵ１０１ａ、読み出し専用メモリとしてのＲＯＭ１０１ｂ、読み書き可能メモリとしてのＲＡＭ１０１ｃを備えている。ＣＰＵ１０１ａは、ＲＯＭ１０１ｂに格納されている制御プログラムを実行することによりパチンコ機１で行われる各種遊技を制御したり、サブ制御基板１１１や払出制御基板１０２に出力するコマンド信号を作成したりする。ＲＡＭ１０１ｃには、メイン制御基板１０１で実行される種々の処理において生成される各種データや入力信号等の情報が一時的に記憶される。メイン制御基板１０１には、カウントセンサ５４、始動センサ４１ａ，４２ａ，４３ａ、Ｖ入賞センサ６２、普通入賞センサ６３、及び一般入賞センサ４７ａからの検出信号が入力される。一方、メイン制御基板１０１は、各モータ５３，６０へ駆動信号を出力する。また、メイン制御基板１０１は、払出制御基板１０２にコマンド信号を出力する。そして、払出制御基板１０２は、メイン制御基板１０１から入力したコマンド信号を処理して、払出装置１０３（払出モータ）に駆動信号を出力する。これにより、払出装置１０３は、駆動信号に従って遊技球を払い出す。また、メイン制御基板１０１は、図柄表示器５７に駆動信号を出力する。
【００２６】
サブ制御基板１１１は、ＣＰＵ１１１ａ、ＲＯＭ１１１ｂ、ＲＡＭ１１１ｃを備えている。ＣＰＵ１１１ａは、ＲＯＭ１１１ｂに格納されている制御プログラムに従ってコマンド信号を処理する。ＲＡＭ１１１ｃには、サブ制御基板１１１で実行される種々の処理において生成される各種データや入出力信号等の情報が一時的に記憶される。サブ制御基板１１１は、メイン制御基板１０１からのコマンド信号に基づいてスピーカ３６、及びサイドランプ４８ａを制御する。
【００２７】
次に、本実施形態の要部を構成する中央入賞装置４０の開閉部材５２の詳細について図５を参照して説明する。開閉部材５２は、図５に示すように、モータ５３の駆動軸５３ａが一体的に取り付けられた回転軸部７０と、該回転軸部７０を中心として両側方向に一直線に延びる開閉片部７１と、を備えている。開閉片部７１は、その裏面側に所定間隔を置いて複数の凸部７２が突設された櫛形状をなしている。即ち、開閉片部７１の裏面側（遊技盤４側）には、当該開閉片部７１の延設方向に沿って凸部７２が連続的に形成されている。なお、各凸部７２間の間隔、及び凸部７２の先端部分から取付基板４９との対向面までの距離は、それぞれ遊技球の直径寸法よりも小さく設定されており、遊技球が開閉片部７１を通り抜けないようになっている。一方、開閉部材５２が取り付けられる取付基板４９側には、開閉片部７１の凸部７２と個々に対応する（若干の隙間を持って凸部７２を内嵌する）複数の凹部７３が穿設された仕切壁７４が立設されている。なお、凹部７３の幅は、各凸部７２間の間隔と同様に、遊技球の直径寸法よりも小さく設定されており、遊技球が仕切壁７４を通り抜けないようになっている。
【００２８】
また、上記した開閉部材５２及び仕切壁７４は、高強度を有するＡＢＳ（Acrylonitrile Butadiene Styrene）樹脂によって成形されている。これにより、開閉部材５２（開閉片部７１）の凸部７２や仕切壁７４の凹部７３に遊技球が衝突するような場合でも、その衝撃力によって開閉部材５２及び仕切壁７４が変形することはなく、開閉部材５２及び仕切壁７４の経時変化あるいは破損によって、遊技球が開閉部材５２や仕切壁７４を通り抜けてしまう不具合を回避するようになっている。但し、開閉部材５２及び仕切壁７４の材質は、ＡＢＳ樹脂に限定するものではなく、高強度を有する材質であればいずれのものであってもよい。
【００２９】
しかして、開閉部材５２は、図５（Ａ）に示すように、開閉片部７１を上下方向に沿って配置した状態で、回転軸部７０の上側に位置する開閉片部７１（凸部７２）が上部入賞空間５０を閉鎖する。このとき、回転軸部７０の下側に位置する開閉片部７１の凸部７２は、仕切壁７４の凹部７３内に内嵌された状態となる。そして、モータ５３の駆動に伴って左側の開閉部材５２は、回転軸部７０を中心として時計方向（図５中に示すＡ方向）に回転する一方、右側の開閉部材５２は、回転軸部７０を中心として反時計方向（図５中に示すＢ方向）に回転する。その後、図５（Ｂ）に示すように、左側の開閉部材５２は、開閉片部７１を右方向に下り傾斜させた状態で所定時間（例えば、０．９秒）停止し、右側の開閉部材５２は、開閉片部７１を左方向に下り傾斜させた状態で所定時間（例えば、０．９秒）停止して、上部入賞空間５０の球受入口５０ａを開放する。このとき、回転軸部７０の上側に位置する開閉片部７１（凸部７２）は、中央入賞装置４０の左右側方における遊技領域１２を流下する遊技球を上部入賞空間５０内に誘導する球受誘導部として機能するようになっている。一方、回転軸部７０の下側に位置する開閉片部７１（凸部７２）は、上部入賞空間５０内に配置された状態となる。また、このとき、仕切壁７４の凹部７３と開閉片部７１の凸部７２との内嵌状態が解除されるが、前述したように凹部７３の幅は、遊技球の直径寸法よりも小さく設定されているため、中央入賞装置４０の左右側方における遊技領域１２を流下する遊技球が仕切壁７４を通り抜けて上部入賞空間５０内に入り込むことはない。
【００３０】
その後は、左側の開閉部材５２が回転軸部７０を中心としてさらに時計方向（図５中に示すＡ方向）に回転すると共に、右側の開閉部材５２が回転軸部７０を中心としてさらに反時計方向（図５中に示すＢ方向）に回転することで、前記図５（Ａ）に示したような開閉片部７１を上下方向に沿って配置した状態となり、回転軸部７０の上側に位置する開閉片部７１（凸部７２）が上部入賞空間５０の球受入口５０ａを閉鎖する。また、このとき、回転軸部７０の下側に位置する開閉片部７１の凸部７２は、仕切壁７４の凹部７３内に内嵌された状態となる。
【００３１】
以上のように、本実施形態の構成によれば、開閉部材５２は、モータ５３の駆動に基づいて回転可能に設けられる回転軸部７０と、該回転軸部７０の両側方向に一直線に延びる開閉片部７１と、を備え、開閉片部７１の裏面側には、当該開閉片部７１の延設方向に沿って凸部７２が遊技球の直径寸法よりも小さい所定間隔を置いて連続的に形成され、開閉部材５２と隣接する仕切壁７４の部分には、開閉部材５２の開閉動作において凸部７２との干渉を避ける凹部７３が形成されている。これにより、回転軸部７０を中心として開閉部材５２を一方向に回転させることで、開閉部材５２によって中央入賞装置４０の球受入口５０ａを開閉することができる。言い換えれば、回転軸部７０を中心とした所定の回動範囲となる動きに開閉部材５２の開閉動作が制限されない。このため、開閉部材５２の動作範囲を広げることができ、ひいては中央入賞装置４０内に遊技球が入賞し易い印象を遊技者に与えることができる。
【００３２】
なお、開閉片部７１の凸部７２は、必ずしも裏面側（遊技盤４側）に向って突設させる必要はなく、それとは反対側となる前面側（遊技者側）に向って凸部７２を突設するようにしてもよい。但し、この場合、開閉部材５２の開閉動作において凸部７２との干渉を避けるために設けられた仕切壁７４の凹部７３は、裏面側（遊技盤４側）に対向させて形成する必要がある。
【００３３】
また、本実施形態の構成によれば、開閉部材５２は、回転軸部７０を中心とした一方向への回転動作によって球受入口５０ａの開閉を行う。これにより、中央入賞装置４０（球受入口５０ａ）の開閉動作において、開閉部材５２を一方向へのみ回転させて他方向に回転させることがないので、あたかも開閉部材５２の戻りの動作がないように印象付けることができ、中央入賞装置４０内に遊技球が入賞し易い印象を遊技者に与えることができる。
【００３４】
また、開閉部材５２は、開閉片部７１が球受入口５０ａ内に入り込む方向を前記一方向として回転する。これにより、開閉部材５２が回転動作を行っている時点で、遊技領域を流下する遊技球を球受入口５０ａに取り込み易くでき、中央入賞装置４０内に遊技球を入賞させ易い構成にできる。
【００３５】
また、開閉部材５２は、中央入賞装置４０の左右両側部分に個々に配置されて左右一対に構成される。これにより、中央入賞装置４０（球受入口５０ａ）の開放状態において、中央入賞装置４０の左右側方における遊技領域１２を流下する遊技球を中央入賞装置４０に受け入れ得る構成にできるため、中央入賞装置４０に入賞する遊技球の球流れパターンを増やすことができ、より一層、中央入賞装置４０内に遊技球が入賞し易い印象を遊技者に与えることができる。
【００３６】
また、始動センサ４１ａ，４２ａ，４３ａの球検出に基づいて図柄の変動表示を行って所定期間経過後に表示結果を停止表示する図柄表示器５７を備え、中央入賞装置４０は、図柄表示器５７により当り態様（特定の表示結果）が停止表示されたときに、球受入口５０ａを開放させて遊技球の受け入れを可能にする。これにより、図柄表示器５７の表示結果によって中央入賞装置４０が開放するか否かが決定するので、図柄表示器５７による図柄の変動表示に対する興趣を高めることができ、遊技性を高めることができる。
【００３７】
また、中央入賞装置４０内の特定受入口６１に遊技球が入賞したことを検出するＶ入賞センサ６２を備え、該Ｖ入賞センサ６２の球検出に基づいて開閉部材５２による球受入口５０ａの開放動作を継続して実行させる。これにより、中央入賞装置４０内の特定受入口６１に遊技球が入賞するか否かによって中央入賞装置４０内に遊技球を入賞させる機会が継続するか否かが決定するので、中央入賞装置４０内での球流れに対する興趣を高めることができる。
【００３８】
また、中央入賞装置４０内の特定入賞領域（特定受入口６１）以外となる普通入賞領域に遊技球が入賞したことを検出する普通入賞センサ６３と、Ｖ入賞センサ６２及び普通入賞センサ６３による遊技球の検出に応じて賞球を払い出す払出装置１０３と、を備える。これにより、中央入賞装置４０に遊技球が入賞したときには、遊技特典として遊技者に賞球を払い出す構成にできる。
【００３９】
また、駆動軸５３ａが回転軸部７０と一体的に取り付けられたモータを開閉部材５２の電気的駆動源として構成する。これにより、モータ５３の駆動軸５３ａの回転を直接的に開閉部材５２の回転動作として伝達することができるので、開閉部材５２の動作効率を高めることができる。
【００４０】
なお、本実施形態では、始動センサ４１ａ，４２ａ，４３ａ（始動検出手段）の球検出に基づいて図柄表示器５７（図柄表示手段）で図柄の変動表示を行い、その表示結果が当り態様となったときに、中央入賞装置４０（入賞装置）を開放し、中央入賞装置４０に入った遊技球が特定受入口６１（特定入賞領域）に入賞したことに基づいて開放制御の継続権を成立させる構成としてるが、この構成に限定するものではない。例えば、図柄表示手段を設けることなく、始動検出手段により遊技球の検出があると、無条件に入賞装置を開放する構成としてもよい。また、始動検出手段により遊技球の検出があると、無条件に入賞装置を開放し、入賞装置内に入賞した遊技球が特定入賞領域に入賞すると、これに基づいて図柄表示手段による図柄変動を開始し、図柄の表示結果が特定の表示結果となると、特定遊技状態の発生として入賞装置の開放制御を所定制限回数まで繰り返し実行するような構成としてもよい。
【００４１】
また、始動検出手段による遊技球の検出に基づいて入賞装置を開放し（始動検出手段による球検出に基づいて図柄表示手段に特定の表示結果が停止表示されて、入賞装置を開放する構成を含む）、入賞装置内の特定入賞領域に遊技球が入賞すると、その後、無条件に入賞装置の開放制御を所定制限回数まで繰り返し実行するような構成としてもよい。また、入賞装置以外に、別途、大入賞口装置を設け、始動検出手段による遊技球の検出に基づいて図柄表示手段に特定の表示結果が停止表示されると、大入賞口装置を所定制限回数まで繰り返し開放制御する構成としてもよい。
【図面の簡単な説明】
【００４２】
【図１】パチンコ機を示す正面図である。
【図２】本体枠及び前面枠を開放した状態のパチンコ機を示す斜視図である。
【図３】遊技盤を示す正面図である。
【図４】メイン制御基板及びサブ制御基板を示すブロック図である。
【図５】同図（Ａ）は開閉部材による球受入口の閉鎖状態を示す斜視図であり、同図（Ｂ）は開閉部材による球受入口の開放状態を示す斜視図である。
【符号の説明】
【００４３】
１  パチンコ機
４  遊技盤
１２  遊技領域
４０  中央入賞装置
４１，４２，４３  始動入賞口
４１ａ，４２ａ，４３ａ  始動センサ
５０  上部入賞空間
５０ａ  球受入口
５１  下部入賞空間
５２  開閉部材
５３  モータ
５５  上部転動板
５７  図柄表示器
５８  下部転動板
６１  特定受入口
６２  Ｖ入賞センサ
７０  回転軸部
７１  開閉片部
７２  凸部
７３  凹部
７４  仕切壁
１０１  メイン制御基板
１１１  サブ制御基板
【図１】
0004780581.tif 000002
【図２】
0004780581.tif 000003
【図３】
0004780581.tif 000004
【図４】
0004780581.tif 000005
【図５】
0004780581.tif 000006